(57)【要約】【課題】給紙フェンスのロック力を高めつつ、給紙フェンスの位置を変更する際の操作性を向上させることのできる給紙装置を提供する。【解決手段】給紙フェンス１０を起立状態で支持すると共に、紙幅方向に摺動されるスライダー部材１１と、スライダー部材が有する挿通孔１１ａを介して挿通され、該スライダー部材を紙幅方向に摺動可能に支持するスライド軸２０と、用紙位置を規制する規制時において規制部材に加わる所定の付勢力またはスライダー部材を介して伝達される用紙からの押圧力によって、孔部１２ｃの内周部の一部がスライド軸の表面に押圧されてスライダー部材の動きが規制され、用紙位置を変更する規制解除時において付勢力および押圧力を解除させて当該スライダー部材の動きの規制を解除する給紙フェンスロック機構Ａ１ａ、Ａ１ｂとを備える。【選択図】図４
2014133630.tif 000002
【特許請求の範囲】
【請求項１】
用紙を載置する給紙台と、給紙方向に対して垂直な紙幅方向の用紙位置を規制する給紙フェンスを備えた給紙装置において、
前記給紙フェンスを起立状態で支持すると共に、前記紙幅方向に摺動されるスライダー部材と、
前記スライダー部材が有する挿通孔を介して挿通され、該スライダー部材を前記紙幅方向に摺動可能に支持するスライド軸と、
前記スライド軸に遊嵌される孔部を有し、前記スライダー部材の前記給紙フェンスから用紙の幅方向に離間する位置に設けられる板状の規制部材を有する給紙フェンスロック機構と
を備え、
前記給紙フェンスロック機構は、前記用紙位置を規制する規制時において前記規制部材に加わる所定の付勢力によって、当該規制部材が前記スライド軸に向かって傾倒することで、前記孔部の内周部の一部が前記スライド軸の表面に押圧されて当該スライダー部材の前記スライド軸に沿った動きを規制し、
前記用紙位置を変更する規制解除時において前記付勢力を解除させて当該スライダー部材の前記スライド軸に沿った動きの規制を解除することを特徴とする給紙装置。
【請求項２】
前記給紙フェンスロック機構は、
前記スライダー部材の上下方向の一端側に固定され、前記規制部材の上下方向の一端部が係合されて該規制部材が回動される際の支点となる係合孔を有する支点板と、
前記支点板および前記スライド軸の上下方向の他端側に位置し、前記規制部材を前記給紙フェンスに近接する方向に前記付勢力を付加するバネ部材と、
前記規制部材の上下方向の他端側に設けられ、前記バネ部材の前記付勢力に抗して前記給紙フェンスから離間する方向に、前記規制部材を前記支点板の係合孔を支点として回動させるレバー部材と
から構成されることを特徴とする請求項１に記載の給紙装置。
【発明の詳細な説明】
【技術分野】
【０００１】
本発明は、画像形成装置に設けられる給紙装置に係り、特に給紙フェンスのロック力を高めつつ、給紙フェンスの位置を変更する際の操作性を向上させた給紙装置に関する。
【背景技術】
【０００２】
一般的に、孔版印刷装置等の画像形成装置は、用紙を画像形成部に供給する給紙装置が備えられている。
【０００３】
このような給紙装置としては、用紙を積載した給紙台の全体が装置本体の内部に引出し自在に収納されるタイプのものや、用紙を積載する給紙台の一部が装置本体の開口から外に突出しているタイプのものがある。
【０００４】
給紙装置は、給紙方向に対して垂直な紙幅方向の用紙位置を規制する給紙フェンスを備えている。この給紙フェンスは、用紙サイズに応じて紙幅方向に手動で移動可能とされると共に、その移動された位置で用紙の端部を支持するように、所定のロック力で保持する給紙フェンスロック機構を備えている。
【０００５】
給紙フェンスロック機構を備えた給紙装置は、種々提案されている。
【０００６】
例えば、特許文献１には、スタック載置台上に載置された印刷用紙の側縁間の幅を規制する一対のフェンスは夫々独立して移動可能であり、フェンスの移動を案内するスライド台にはフェンスの移動を抑止し得る偏芯カムを備えたロックレバーが設けられた給紙装置が提案されている。
【先行技術文献】
【特許文献】
【０００７】
【特許文献１】実開平６−７２９９５号公報
【発明の概要】
【発明が解決しようとする課題】
【０００８】
ところで、Ａ３サイズ等の大判用紙を給紙台にセットする際には、用紙重量が重いため、何回かに分けて用紙束を積載する場合がある。その場合に、各々の用紙一束ごとに積載端面がずれ易く、給紙フェンスを介して用紙端面を叩いて端面を揃える必要があった。
【０００９】
そのため、一方の給紙フェンスのロック力（規制力）が、用紙を揃える際の衝撃に抗しきれない場合には、給紙の左右位置がずれるという問題を生じる。
【００１０】
上記先行技術において、用紙端面を揃える際の力に対抗するためにフェンスのロック力を強くする場合には、ロック機構が備える偏芯カムの偏芯量を増やし、偏芯カムが係合される回転軸との摩擦力を高める必要がある。
【００１１】
そのため、ロック力に比例してロックさせる際のレバーの操作力が大きくなってしまい、操作性が低下するという不都合があった。
【００１２】
本発明は、上記課題に鑑みてなされたものであり、給紙フェンスのロック力を高めつつ、給紙フェンスの位置を変更する際の操作性を向上させることのできる給紙装置を提供することを目的とする。
【課題を解決するための手段】
【００１３】
上記目的を達成するため、本発明に係る給紙装置の第１の態様は、用紙を載置する給紙台と、給紙方向に対して垂直な紙幅方向の用紙位置を規制する給紙フェンスを備えた給紙装置において、前記給紙フェンスを起立状態で支持すると共に、前記紙幅方向に摺動されるスライダー部材と、前記スライダー部材が有する挿通孔を介して挿通され、該スライダー部材を前記紙幅方向に摺動可能に支持するスライド軸と、前記スライド軸に遊嵌される孔部を有し、前記スライダー部材の前記給紙フェンスから用紙の幅方向に離間する位置に設けられる板状の規制部材を有する給紙フェンスロック機構とを備え、前記給紙フェンスロック機構は、前記用紙位置を規制する規制時において前記規制部材に加わる所定の付勢力によって、当該規制部材が前記スライド軸に向かって傾倒することで、前記孔部の内周部の一部が前記スライド軸の表面に押圧されて当該スライダー部材の前記スライド軸に沿った動きを規制し、前記用紙位置を変更する規制解除時において前記付勢力を解除させて当該スライダー部材の前記スライド軸に沿った動きの規制を解除することを特徴とする。
【００１４】
本発明に係る給紙装置の第２の態様は、前記給紙フェンスロック機構は、前記スライダー部材の上下方向の一端側に固定され、前記規制部材の上下方向の一端部が係合されて該規制部材が回動される際の支点となる係合孔を有する支点板と、前記支点板および前記スライド軸の上下方向の他端側に位置し、前記規制部材を前記給紙フェンスに近接する方向に前記付勢力を付加するバネ部材と、前記規制部材の上下方向の他端側に設けられ、前記バネ部材の前記付勢力に抗して前記給紙フェンスから離間する方向に、前記規制部材を前記支点板の係合孔を支点として回動させるレバー部材とから構成されることを特徴とする。
【発明の効果】
【００１５】
本発明によれば以下の効果を奏することができる。
【００１６】
すなわち、第１の態様に係る給紙装置によれば、用紙位置を規制する規制時において規制部材に加わる所定の付勢力によって、当該規制部材が前記スライド軸に向かって傾倒することで、孔部の内周部の一部が前記スライド軸の表面に押圧されて当該スライダー部材のスライド軸に沿った動きを規制し、用紙位置を変更する規制解除時において付勢力を解除させて当該スライダー部材の前記スライド軸に沿った動きの規制を解除する給紙フェンスロック機構を備えるので、規制部材が有する孔部の内周部の一部がスライド軸の表面に押圧されることで発生する摩擦力で給紙フェンスをロックすることができる。従って、偏芯カム等を用いたロック機構を備える給紙装置に比してロックさせる際のレバーの操作力が大きくなることを回避でき、給紙フェンスのロック力を高めつつ、給紙フェンスの位置を変更する際の操作性を向上させることができる。
【００１７】
第２の態様に係る給紙装置によれば、給紙フェンスロック機構は、スライダー部材の上下方向の一端側に固定され、規制部材の上下方向の一端部が係合されて該規制部材が回動される際の支点となる係合孔を有する支点板と、支点板およびスライド軸の上下方向の他端側に位置し、規制部材を給紙フェンスに近接する方向に付勢力を付加するバネ部材と、規制部材の上下方向の他端側に設けられ、バネ部材の付勢力に抗して給紙フェンスから離間する方向に、規制部材を支点板の係合孔を支点として回動させるレバー部材とから構成されているので、比較的簡易な構成により、給紙フェンスのロック力を高めつつ、給紙フェンスの位置を変更する際の操作性を向上させる給紙装置を実現することができる。
【００１８】
また、用紙の端部を揃える場合などにおいて、給紙フェンス側に用紙束を押すなどの力が加わった際に、給紙フェンスと共にスライダー部材が用紙から離間される方向に押され、その押圧力により、支点板の係合孔を支点に規制部材が給紙フェンス側に傾倒する回動力が発生される。これにより、規制部材が有する孔部の内周部（周縁部）の一部がスライド軸の表面に押圧される力が強まり、それに伴い孔部の内周部とスライド軸の表面との摩擦力が高まって、給紙フェンスのロック力を一層向上させるという効果を奏することができる。
【図面の簡単な説明】
【００１９】
【図１】本実施の形態に係る給紙装置の全体構成を示す斜視図である。
【図２】本実施の形態に係る給紙装置の全体構成を示す透視斜視図である。
【図３】本発明の実施形態に係る給紙装置が備える給紙フェンスロック機構を示す斜視図である。
【図４】本発明の実施形態に係る給紙装置が備える給紙フェンスロック機構を示す断面図である。
【図５】図４の一部拡大断面図である。
【図６】本発明の実施形態に係る給紙装置が備える給紙フェンスロック機構の動作を示す説明図であり、（ａ）はコイルスプリングの付勢力のみの場合の動作、（ｂ）は給紙フェンスを介して用紙からの押圧力が加わった場合の動作を示す。
【図７】本発明の実施形態に係る給紙装置が備える給紙フェンスロック機構のロックを解除する際の操作状態を示す説明図である。
【図８】本発明の実施形態に係る給紙装置が備える給紙フェンスロック機構のロック解除状態を示す説明図である。
【発明を実施するための形態】
【００２０】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２１】
〈給紙装置の全体構成〉
図１に示すように、本実施の形態に係る給紙装置１は、用紙を載置する給紙台２と、給紙方向ａ１に対して垂直な紙幅方向ｂ１，ｂ２の用紙位置を規制する一対の給紙フェンス１０を備えている。
【００２２】
給紙台２は、樹脂等で成形され、給紙フェンス１０を紙幅方向ｂ１，ｂ２に移動させる際の案内溝３ａ、３ｂが形成されている。
【００２３】
また、案内溝３ａに沿って目盛り４が刻設され、位置合わせの基準とされている。
【００２４】
各給紙フェンス１０は、給紙フェンス１０を所望の位置で固定する給紙フェンスロック機構Ａ１ａ、Ａ１ｂを備えている。
【００２５】
また、図１〜図５等に示すように、給紙装置１は、給紙フェンス１０を起立状態で支持すると共に、紙幅方向ｂ１、ｂ２に摺動されるスライダー部材１１と、スライダー部材１１が有する挿通孔１１ａを介して挿通され、スライダー部材１１を紙幅方向ｂ１、ｂ２に摺動可能に支持するスライド軸２０とを備えている。
【００２６】
給紙フェンスロック機構Ａ１ａ、Ａ１ｂは、スライダー部材１１の給紙フェンス１０から離間する位置に設けられている。
【００２７】
スライダー部材１１は、図４、図５等に示すように、挿通孔１１ａが穿設された筒状部１１Ａと、この筒状部１１Ａの一端側（図４、図５上では左端側）から上方に延設される垂直部１１Ｂと、この垂直部１１Ｂからさらに上方に延設され、後述するビス１９を介して給紙フェンス１０と係合される係合部１１Ｃとを備えている。
【００２８】
なお、スライダー部材１１の垂直部１１Ｂには、給紙フェンスロック機構Ａ１ａ、Ａ１ｂの一部を構成する凸部１１ｂ（詳細については後述する）が形成されている。
【００２９】
スライダー部材１１はアルミダイキャスト或いは樹脂等で成形され、挿通孔１１ａの内径は、スライド軸２０の直径よりも若干大きく形成されている。
【００３０】
給紙台２の内部には、図２に示すように、金属板等で構成されるフレーム５０が設けられ、スライド軸２０はフレーム５０の一部を構成する桁材５１、５２の間に固定されている。
【００３１】
スライド軸２０は例えば直径８ｍｍ程度のステンレス製の棒材で構成される。
【００３２】
そして、スライダー部材１１の筒状部１１Ａが有する挿通孔１１ａに、このスライド軸２０が挿通されている。
【００３３】
これにより、スライダー部材１１は、挿通孔１１ａに挿通されたスライド軸２０に沿って紙幅方向ｂ１、ｂ２にスムーズに摺動可能とされる。そして、このスライダー部材１１の摺動に伴って給紙フェンス１０も紙幅方向ｂ１，ｂ２（図１参照）に移動される。従って、給紙フェンスロック機構Ａ１ａ、Ａ１ｂによるロック力が解除された状態において、紙幅に合わせた位置に給紙フェンス１０を移動させることが可能となる。
【００３４】
なお、本実施の形態において、図４，図５等に示すように、スライダー部材１１の係合部１１Ｃは、後述する摘み部１７と共に、ビス１９によって給紙フェンス１０に螺合されるようになっている。
【００３５】
また、給紙フェンスロック機構Ａ１ａ、Ａ１ｂは、スライド軸２０に遊嵌される孔部１２ｃを有する規制部材１２を備え、用紙位置を規制する規制時において規制部材１２が有する孔部１２ｃの角張った内周部（周縁部）１２ｄ、１２ｅをスライド軸２０の表面に所定の押圧力Ｆ１、Ｆ２（Ｆ１’、Ｆ２’）で押圧させ（図６（ａ）、（ｂ）参照）、用紙位置を変更する規制解除時において押圧力を解除させるようになっている。押圧力Ｆ１、Ｆ２（Ｆ１’、Ｆ２’）等の詳細については後述する。
【００３６】
〈給紙フェンスロック機構の具体的構成〉
次に、図３〜図５等を参照して、給紙フェンスロック機構Ａ１ａ、Ａ１ｂの具体的構成について説明する。
【００３７】
なお、本実施の形態における給紙フェンスロック機構Ａ１ａ、Ａ１ｂは、同じ構造を備えている。以降は、代表して給紙フェンスロック機構Ａ１ａについて詳細を説明する。
【００３８】
給紙フェンスロック機構Ａ１ａは、ＳＥＣＣ（電気亜鉛めっき鋼板）等を折り曲げ加工して形成される板状の規制部材１２と、スライダー部材１１が有する筒状部１１Ａの上下方向の一端側（図上は下端側）に固定され、規制部材１２の上下方向の一端部（図上は下端部）１２ａが係合されて規制部材１２が回動される際の支点となる係合孔１３ａを有する支点板１３と、支点板１３およびスライド軸２０の上下方向の他端側（図上は上方）に位置し、用紙位置を規制する規制時において規制部材１２を給紙フェンス１０に近接する方向に付勢するバネ部材としてのコイルスプリング１４と、規制部材１２の上下方向の他端側（図上は上端側）１２ａに設けられ、コイルスプリング１４の付勢力に抗して給紙フェンス１０から離間する方向に、規制部材１２を支点板１３の係合孔１３ａを支点として回動させるレバー部材１６とを備えている。
【００３９】
本実施の形態において、レバー部材１６は、図４、図５等に示すように、正面から観た断面形状が略Ｌ形とされる樹脂成形品等で形成される。
【００４０】
また、スライダー部材１１の垂直部１１Ｂにおいて、給紙フェンス１０側とは反対側の面には、スライド軸２０と平行となるように突出された凸部１１ａが一体的に設けられている。また、規制部材１２には、凸部１１ａが挿通される挿通孔１２ｆが形成されている（図４、図５参照）。
【００４１】
凸部１１ａには、規制部材１２が挿通孔１２ｆを介して係合され、規制部材１２をスライダー部材１１側に付勢するようにコイルスプリング１４が凸部１１ａに挿通され、コイルスプリング１４を凸部１１ａに係止する係止部材としてのＥリング（Ｅ型止め輪）が凸部１１ａの端部に係合されている。
【００４２】
また、レバー部材１６と対向する位置にあって、規制部材１２を給紙フェンス１０から離間する方向に回動させる際に、レバー部材１６と共に操作者の指で摘まれる金属板等の折り曲げ加工品等で形成される摘み部１７が設けられている。
【００４３】
図４に示すように、本実施の形態において、摘み部１７は、ビス１９によって、スライダー部材１１の係合部１１Ｃおよび給紙フェンス１０に固定されている。このビス１９によって、スライダー部材１１と給紙フェンス１０とが一体的に固定されている。
【００４４】
また、前出の支点板１３は、ビス１８によって、スライダー部材１１に固定されている。さらに、前出のレバー部材１６は、ビス２１によって、規制部材１２の上端において水平方向に延設される上端部１２ｂに固定されている。
【００４５】
〈給紙フェンスロック機構の動作〉
次に、図６〜図８等を参照して、上記構成の給紙フェンスロック機構Ａ１ａ、Ａ１ｂの動作について説明する。
【００４６】
まず、図６を参照して、給紙フェンスロック機構Ａ１ａ、Ａ１ｂのロック状態について説明する。
【００４７】
ここで、図６は、本実施形態に係る給紙装置１が備える給紙フェンスロック機構Ａ１ａ、Ａ１ｂの動作を示す説明図であり、図６（ａ）はコイルスプリング１４の付勢力のみの場合の動作、図６（ｂ）は給紙フェンス１０を介して用紙からの押圧力Ｆ３が加わった場合の動作を示す。
【００４８】
図６（ａ）に示すように、図４、図５等に示すコイルスプリング１４の付勢力のみが規制部材１２に加わる場合には、この付勢力により、支点板１３の係合孔１３ａを支点に規制部材１２を給紙フェンス１０側に傾倒させる回動力Ｆ１０が発生する。
【００４９】
これにより、規制部材１２が有する孔部１２ｃの角張った内周部（周縁部）１２ｄ、１２ｅが、スライド軸２０の表面に接触される。そして、回動力Ｆ１０により、内周部（周縁部）１２ｄ、１２ｅとスライド軸２０の表面との接触部には、ベクトルＦ１、Ｆ２によって示される押圧力が加わる。
【００５０】
この押圧力（ベクトルＦ１、Ｆ２）に伴って発生する内周部（周縁部）１２ｄ、１２ｅとスライド軸２０の表面との接触部における摩擦力により、給紙フェンス１０はロックされた状態となる。
【００５１】
次に、図６（ｂ）を参照して、給紙フェンス１０を介して用紙からの押圧力Ｆ３が加わった場合の動作について説明する。
【００５２】
具体的には、例えばＡ３サイズ等の大判用紙を給紙台２（図１参照）にセットする際には、用紙重量が重いため、何回かに分けて用紙束を積載する場合がある。その場合に、各々の用紙一束ごとに積載端面がずれ易く、用紙端面を叩いて端面を揃える必要がある。
【００５３】
そして、給紙フェンス１０側に用紙束を押す力が加わった際に、給紙フェンス１０と共にスライダー部材１１および支点板１３に用紙から離間される方向に押圧力Ｆ３が発生する。
【００５４】
この押圧力Ｆ３により、支点板１３の係合孔１３ａを支点に規制部材１３を給紙フェンス１０側に傾倒させる回動力Ｆ１０’が発生する。
【００５５】
これにより、規制部材１２が有する孔部１２ｃの角張った内周部（周縁部）１２ｄ、１２ｅが、スライド軸２０の表面により強く押圧される。即ち、回動力Ｆ１０’により、内周部（周縁部）１２ｄ、１２ｅとスライド軸２０の表面との接触部には、ベクトルＦ１’、Ｆ２’によって示される押圧力が加わる。
【００５６】
この押圧力（ベクトルＦ１’、Ｆ２’）に伴って発生する内周部（周縁部）１２ｄ、１２ｅとスライド軸２０の表面との接触部におけるより強い摩擦力により、給紙フェンス１０をより強固にロックされた状態とすることができる。
【００５７】
次に、図７および図８を参照して、実施形態に係る給紙装置１が備える給紙フェンスロック機構Ａ１ａ、Ａ１ｂのロックを解除する際の操作について説明する。
【００５８】
給紙フェンスロック機構Ａ１ａ、Ａ１ｂのロックを解除する際には、図７に示すように、レバー部材１６を給紙フェンス１０から離間する方向に手動で動かすように操作する。
【００５９】
実際には、例えば、図７上、摘み部１７の左端側に左手の人差し指を触れさせ、親指でレバー部材１６を摘み部１７側に寄せるように摘む力Ｆ４を加えることで、レバー部材１６を容易に動かすことができる。
【００６０】
そして、図８に示すように、支点板１３の係合孔１３ａを支点に規制部材１３を給紙フェンス１０から離間する方向に傾倒させる力Ｆ５が加えられる。
【００６１】
これにより、規制部材１２が有する孔部１２ｃの角張った内周部（周縁部）１２ｄ、１２ｅと、スライド軸２０の表面との接触状態が解除される。従って、図７のように、レバー部材１６を摘んだ状態を保持した状態で、給紙フェンス１０を紙幅方向ｂ１（ｂ２）に移動させて、用紙の幅に合った位置にスムーズに移動させることができる。
【００６２】
このように、本実施の形態に係る給紙装置１が備える給紙フェンスロック機構Ａ１ａ、Ａ１ｂによれば、偏芯カム等を用いたロック機構を備える給紙装置に比してロックさせる際のレバーの操作力が大きくなることを回避でき、給紙フェンスのロック力を高めつつ、給紙フェンスの位置を変更する際の操作性を向上させることができる。
【００６３】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載にしたがって解釈すべきであり、特許請求の範囲の記載技術と均等な技術および特許請求の範囲内でのすべての変更が含まれる。
【００６４】
例えば、本実施の形態では、図１に示すように、左右両側に給紙フェンスロック機構Ａ１ａ、Ａ１ｂを備えた給紙フェンス１０を設ける場合について示したが、これに限られず、左右の何れか一方の給紙フェンス１０のみに給紙フェンスロック機構を設け、他方は固定式の給紙フェンスとしても良い。
【００６５】
また、図１に示すように、給紙台２を備えた、いわゆる手差し式の給紙装置に限らず、トレー式の給紙装置において給紙フェンスロック機構Ａ１ａ、Ａ１ｂを備えた給紙フェンス１０を設けるようにしても良い。
【００６６】
また、スライド軸２０の表面を粗面化したり、複数の溝を刻設するなどして、規制部材１２が有する孔部１２ｃの内周部（周縁部）１２ｄ、１２ｅが接触した際の摩擦力を高めるようにしても良い。
【符号の説明】
【００６７】
Ａ１ａ、Ａ１ｂ…給紙フェンスロック機構
１…給紙装置
２…給紙台
３ａ、３ｂ…案内溝
４…目盛り
１０…給紙フェンス
１１…スライダー部材
１１Ａ…筒状部
１１Ｂ…垂直部
１１Ｃ…係合部
１１ａ…凸部
１１ａ…挿通孔
１２…規制部材
１２ｃ…孔部
１２ｄ…内周部（周縁部）
１２ｆ…挿通孔
１３…支点板
１３ａ…係合孔
１４…コイルスプリング（バネ部材）
１６…レバー部材
１７…摘み部
１８、１９、２１…ビス
２０…スライド軸
５０…フレーム
５１…桁材
Ｆ１、Ｆ２（Ｆ１’、Ｆ２’）、Ｆ３…押圧力
Ｆ１０…回動力
【図１】
2014133630.tif 000003
【図２】
2014133630.tif 000004
【図３】
2014133630.tif 000005
【図４】
2014133630.tif 000006
【図５】
2014133630.tif 000007
【図６】
2014133630.tif 000008
【図７】
2014133630.tif 000009
【図８】
2014133630.tif 000010